(57)【要約】【課題】緩衝液という導電性の溶液と、百ボルト以上の電気出力を形成する電源とを備えた電気泳動槽を具備しながら、蓋の開閉のみで、電気的機械的接続を調整することで、より安全で、簡易な操作の電気泳動装置を実現する。【解決手段】その開閉により、電源と泳動槽間の電気的接続及び機械的接続の離脱結合が行われるような蓋部を備え、より具体例として、蓋の開閉を、電源と蓋部の接触縁部を中心とした回動的な駆動とし、開く際、当該蓋部の接触縁部付近が、電源を泳動槽から外方向へ押し出すような構成を有する蓋部とする。を有する【選択図】図１
2005030951.tif 000002
【特許請求の範囲】
【請求項１】
その開閉により、電源と泳動槽間の電気的接続及び機械的接続の離脱結合が行われるような蓋部を有する電気泳動装置。
【請求項２】
蓋の開閉を、電源と蓋部の接触縁部を中心とした回動的な駆動とし、開く際、当該蓋部の接触縁部付近が、電源を泳動槽から外方向へ押し出すような構成を有する蓋部
を有する請求項１に記載の電気泳動装置。
【請求項３】
電気泳動蓋には、電源の電気的出力をオンオフさせるために用いられる応答部位を有し、電源側には、前記応答部位に起因した応答により、電源の電気的出力をオンオフさせる手段を備えた請求項１、２に記載の電気泳動装置。
【発明の詳細な説明】
【技術分野】
【０００１】
本発明は、電気泳動装置に関する。
【背景技術】
【０００２】
現在、核酸およびタンパク質を分離分析する目的において、電気泳動法は主要な方法として広く利用されている。とくに核酸を扱う場合には、図３のような水平型電気泳動装置が一般的に使用される。
その電源部として実公昭６３−３９６３９号公報に記載されているような、半波整流出力が利用される。
泳動槽１１Aに緩衝液１２Aを注入し、トレイ１４A上に作製された泳動担体１３Aを、トレイ１４Aごと緩衝液中に設置する。設置部１５Aは台状になっていることが多い。泳動担体１３Aには試料１８A設置溝が設けられており、この中に泳動させる試料を設置する。感電防止と緩衝液の蒸発防止の目的で、泳動槽に蓋１７Aを設置したのち、泳動槽底部に設置された電極１６A−１６’Aから電圧が供給される。試料は緩衝液１２A中で帯電しているので、電場を感受して移動する。電気泳動担体は分子ふるい効果をもち、試料１８Aの分子サイズに応じて移動しやすさに差異が生じるため、さまざまなサイズの分子の混合物である試料を分離することができる。
【０００３】
電気泳動槽の蓋は、通電時の緩衝液から人体を守るために必要なものであり、蓋を開けると、電気泳動用電源の電気出力が停止するなどの機能を具備する
例えばマイクロスイッチを配置して、蓋をするとマイクロスイッチのスイッチ部がオン状態となり、蓋を開けるとオフ状態をなるといったものである。マイクロスイッチは、直接、電源回路と接続しているため、液体との接触による電源内部への影響は高く、しかも蓋が開いた状態で、電源は電気的にはオフしているが、相変わらず隣接しており、危険性は高い。
【０００４】
特開平１０−３８８４８号公報では、更に、安全性を高めるために蓋に、電源部と泳動槽との電気的接続を仲介するためのターミナル４７（図６）を設け、蓋を閉めないと電源と泳動槽が接続しない状態を形成している。
【特許文献１】実公証昭６３−３９６３９号公報
【特許文献２】特開平１０−３８８４８号公報
【発明の開示】
【発明が解決しようとする課題】
【０００５】
この様に、電源と泳動槽との取り扱いをより厳重にすることで、実験者の安全を確保しようとする傾向があり、緩衝液のような導電性を有する液体と最大で数百Ｖの電源とを組み合わせる構成において、電気と液体との隔離のための取り扱いは、重要な要素となるのである。  
しかしながら、実験者は、より簡便な操作を期待するために、取り扱いも同様の簡便さを有する必要があるが、特開平１０−３８８４８号公報においては、いちいち電源の着脱をしなければならず、簡便とはいえない。
【課題を解決するための手段】
【０００６】
上記に鑑み本発明は、蓋の開閉を、電源と蓋部の接触縁部を中心とした回動的な駆動とし、開く際、当該蓋部の接触縁部付近が、電源を泳動槽から外方向へ押し出すような構成を有する蓋部を設けることにより、蓋をあけることで、自動的に泳動槽と電源部が離れるようにすることで、手軽に且つ確実な安全性を確保可能な電気泳動装置を実現した。
【発明の効果】
【０００７】
本発明は、蓋の開閉を、電源と蓋部の接触縁部を中心とした回動的な駆動とし、開く際、当該蓋部の接触縁部付近が、電源を泳動槽から外方向へ押し出すような構成を有する蓋部
を設けることで、蓋の開閉により、電源と電気泳動槽との着脱を行うことを可能とすると共に、蓋の開閉に起因して電源の電気的出力がオンオフするようにすることで、電源と電気泳動槽との離脱により、電源の電気出力をオフさせることで、より簡便な操作により、確実な電源と電気泳動槽との分離を可能とするのである。
【発明を実施するための最良の形態】
【０００８】
本発明は、少なくとも蓋部の分離に起因して、電源と電気泳動槽との分離を行うような構成であればよく、その際、電源の電気的出力の停止を行わせしめるような、非接触的スイッチング構成を具備する。
即ち、蓋を開ける際、好ましくは電源部と泳動槽の接触面に支点を置き、この支点を中心に、電源を電気泳動槽に対し外方向へ押し出すような力を加える様な作用部を形成するものである。
例えば蓋部を持ち上げることで、電源部又は泳動槽の結合を解除する方向に力を与えるような構造も本発明には含まれるのである。
その際の電源部と泳動槽間の電気的接続機構は、好ましくは挿入関係にあることが好ましが、その他単に接触関係であって、その他の部分で機械的結合が行われ、蓋を取り外す際、その機械的結合が解除され、電気的接触も併せて解除されるような構成でも良いのである。
【０００９】
又、電気泳動用の蓋には、特定の方向に於ける光反射、透過機能を有する部位を設け、電源部から照射された光、レーザ、赤外光、可視光、その他、反射可能な種類の光を、
電源部と、電気泳動槽との特定の位置関係において反射さえ、この反射光を、電源部内に有する受光部が受光することで、受光時はオン、受光しないときはオフといった動作を電源部がすることで、蓋が開けられる場合、泳動槽と電源部の離脱時に、自動的に電気的出力が停止することで、途中電源との接続ターミナルが表出しても安全な離脱が可能となる。
尚、光の他、磁気、絶縁スイッチ等、様々な開閉スイッチング手段が適宜選択使用される。
【実施例１】
【００１０】
図１は、本発明の実施例を示す。
１１は、泳動槽であり、好ましくは透明なプラスチックで形成されている。図２は、泳動槽を斜視的にみたものであり、中央に凸状の担体据置部２４が形成され、両側の底部に白金、プラチナ、金などで形成されたリード線状の導電性部材よりなる電極１９，１９’が配置され、電極１９は、連結線２０を介して凸状プラグ１３と接続する。
１２は、電源部であり、内部に昇圧回路、コンピュータによる制御回路を具備するものである。但しこれに限らず、これら主要な回路を別の電源とし、この電源部を、ソケット１８，１８’を中心としたものとしても良い。
電極１９’は、連結線２０’を介して凸状プラグ１３’と接続する。凸状プラグ１３，１３’は、導電性を有する部材で形成され、ソケット１８，１８’に挿入されることで、電源１２と、泳動槽１１とを電気的に接続する。
２１は、間隙部であり、泳動槽内の緩衝液と、凸状プラグ１３，１３’に及ばないように隔離すると共に、凸状プラグ１３，１３’と、電極１９，１９’との電気的接続を安定的に行う部分である。
【００１１】
１８，１８’はソケットであり、凹状に形成され、凸状プラグ１３，１３’とそれぞれ接続することで、電源と、泳動槽との電気的及び機械的接続固定を図る。
２２は、表示部であり、出力強度表示、タイマー表示などを行うＬＥＤで形成される。
２３は、操作部であり、シート状のスイッチにより構成され、外部から内部のスイッチを押す程度の局所的柔軟性を持つと共に、柔軟な部材の上を押すことで、内部のプッシュスイッチが押され、オンオフ動作を行うような構成を有する。
２５は、光出力部、と受光部を備えたセンサー部であり、反射部２６へ、光を照射し、反射部２６から反射した反射光を受光する部分である。発光ダイオードと、ＣＤＳ等の受光トランジスタの組み合わせより構成されている。
１４は、蓋部であり、電源部１２に対向する部分に把持部１５を設け、対向する部分に支点１７と作用部１６が形成される。蓋部１４には、発熱した泳動槽内の緩衝液による蓋の内側につく結露を防止するためのスリット２７が設けられている。
【００１２】
使用時、電源部１２と、泳動槽１１を図２で示す用に凸状プラグ１３，１３’とソケット１８，１８’との挿入結合により、結合した後、上部から蓋部１４を平行に装着する。反射部２６は、電源部１２のセンサー部２５から照射された光を反射させ、センサー部２５の受光部でこの反射光を受光することで、電源部１２は、動作準備完了となる。  操作部２３を押すことで、電気出力が電極１９，１９’間で出力され、電気泳動動作が行われる。
【００１３】
動作終了後、蓋部１４を開ける際、把持部１５を片手ＨＲで把持し、他方の手ＨＬで電源部１２を持った状態で、把持部１５を上へ持ち上げる。
その際、支点１７を中心にして作用部１６は、電源部１２に対して泳動槽１１を押し出す。この押し出しにより、凸状プラグ１３，１３’と、ソケット１８，１８’の接続が解除される。蓋部１４の回動により、反射部２６と、センサー部２５の光学的連結関係は解除して、電源内部での電気的接続は解除される。
【産業上の利用可能性】
【００１４】
本発明は、簡単に使え、十分な泳動実験を行うことができる電源と泳動槽が一体となった電気泳動装置において、安全な、泳動後の処理を行うことができるものであり、学生実験など、泳動実験に不慣れな者でも安心して使用が可能となる。
【図面の簡単な説明】
【００１５】
【図１】本発明の実施例を示す図である。（実施例１）
【図２】本発明の実施例を説明する為の図である。
【図３】従来例を示す図である。
【符号の説明】
【００１６】
１１        泳動槽
１２        電源部
１３、１３’        凸状プラグ
１４        蓋部
１５        把持部
１６        作用部
１７        支点
【図１】
2005030951.tif 000003
【図２】
2005030951.tif 000004
【図３】
2005030951.tif 000005